【事件の表示】
　特願２０１３−２１６８９６号「遊技機」拒絶査定不服審判事件〔平成２７年　４月２３日出願公開、特開２０１５−　７７３１６号〕について、次のとおり審決する。
【結　論】
　本件審判の請求は、成り立たない。
【理　由】
１　手続の経緯 
　本願は、平成２５年１０月１８日の出願であって、平成２９年４月６日に手続補正書が提出され、同年６月２３日付けで拒絶の理由が通知され、同年８月２９日に意見書が提出され、同年１２月２７日付けで拒絶の理由が通知され、平成３０年３月６日に意見書及び手続補正書が提出され、同年７月３１日付けで拒絶査定がなされた。これに対し同年１１月２日に拒絶査定不服審判の請求がなされると同時に手続補正書が提出され、これに対して、令和１年５月８日付けで当審において拒絶の理由（以下、「当審拒絶理由」という。）が通知され、同年７月９日に意見書及び手続補正書が提出されたものである。 
２　本願発明  
　本願の請求項１に係る発明（以下、「本願発明１」という。）は、令和１年７月９日に提出された手続補正書の特許請求の範囲の請求項１に記載された次のとおりのものである（Ａ〜Ｌは、本願発明１を分説するため当審で付与した。）。 
（本願発明１）
「【請求項１】
Ａ　可変表示を行い、遊技者にとって有利な特定状態に制御可能な遊技機であって、
Ｂ　未だ開始していない可変表示に関する情報を保留記憶として記憶可能な保留記憶手段と、
Ｃ　前記保留記憶手段に記憶されている保留記憶に対応した保留表示を表示する保留表示手段と、
Ｄ　前記特定状態に制御するか否かを決定する決定手段と、
Ｅ　前記決定手段の決定前に、前記特定状態となるか否かを判定する判定手段と、を備え、
Ｆ−１　保留表示の表示態様は、通常態様と、通常態様とは異なる態様である特殊態様と、通常態様および特殊態様とは異なる態様である特別態様とを含み、
Ｇ−１　前記判定手段の判定結果に応じて、判定対象となった保留記憶に対応した保留表示を特別態様で表示する保留予告演出を実行可能な演出実行手段と、
Ｈ−１　保留表示の表示態様が変化することを示唆する示唆演出を実行する示唆演出実行手段と、をさらに備え、
Ｈ−２　前記示唆演出の実行パターンとして、前記示唆演出を実行してから保留表示の表示態様を変化させる第１パターンと、前記示唆演出を実行してから保留表示の表示態様を変化させない第２パターンとを含み、
Ｈ−３　前記示唆演出実行手段は、保留表示が特殊態様で表示されているときは、保留表示が特殊態様で表示されていないときよりも高い頻度で前記第２パターンによる示唆演出を実行し、
Ｇ−２　前記保留予告演出として、通常態様の保留表示を特別態様で表示する第１保留予告演出と、特殊態様の保留表示を特別態様で表示する第２保留予告演出とを含み、
Ｆ−２　前記特別態様として、第１特別態様と、該第１特別態様よりも前記特定状態に制御される期待度の高い第２特別態様とを含み、
Ｇ−３　前記演出実行手段は、特殊態様の保留表示が通常態様の保留表示と比べて高い割合で前記第２特別態様に変化するように、前記保留予告演出を実行する
Ｌ　ことを特徴とする遊技機。」
３　拒絶の理由の概要 
　当審拒絶理由は、平成３０年１１月２日に提出された手続補正書により補正がされた請求項１に係る発明は、本願の出願前に日本国内又は外国において頒布された以下の引用文献１に記載された発明であるから、特許法第２９条第１項第３号の規定により特許を受けることができない、というものである。 
 　 
　引用文献１：特開２０１３−１１６３１７号公報 
４　引用文献に記載された事項 
　当審拒絶理由に引用され、本願の出願前に頒布された上記引用文献１には、図面と共に以下の事項が記載されている（下線は当審で付した。）。 
（１−ａ）「【００８４】
　第一実施形態の
パチンコ機５０
大当り抽選の際には、特図表示装置９にて特別図柄の変動表示が行われ
【００８５】
　また、パチンコ機５０では、
第１，第２始動口１１，１２への入賞により抽出された乱数が
保留記憶として記憶され
大当り抽選で当たると、
大当り遊技が行われる。
（１−ｂ）「【００８７】
　また、パチンコ機５０では、保留図柄として複数の種類が設けられており、各種類の保留図柄は、対応する保留記憶が消化される直前に表示された場合における、該保留記憶により大当りとなる確率である信頼度が異なっている。そして、各種類の保留図柄を表示することで、対応する保留記憶により大当りとなる可能性の有無や、該可能性の大きさを示唆する保留予告演出が行われる。また、この保留予告演出の一つとして、
一旦表示された保留図柄（一時図柄）を、他の種類の保留図柄（最終図柄）に変化させる変化演出が行われる。
【００８８】
　さらに、
変化演出が行われる際には、一時図柄の種類が変化することを示唆する段階演出が行われると共に、変化演出が行われないいずれかの保留図柄に対しても、擬似的な段階演出が行われる。
  
（１−ｃ）「【００９８】
　Ｓ１００では、
主制御装置８０は、第１，第２始動口ＳＷ１１ａ，１２ａの検出信号に基づき、第１，第２始動口１１，１２への遊技球の入賞が発生したかを判定する。
肯定判定の場合は
【００９９】
　Ｓ１０５では、主制御装置８０は、保留記憶の数が上限値（一例として４）か否かを判定する。そして、否定判定の場合は（Ｓ１０５：Ｎｏ）、Ｓ１１０に処理を移行し、肯定判定の場合は（Ｓ１０５：Ｙｅｓ）、本処理を終了する。
【０１００】
　Ｓ１１０では、
主制御装置８０は、大当り抽選に用いられる大当り決定用乱数
等を抽出し、これらの乱数を保留記憶として記憶する。
消化されていない保留記憶の数を示す保留数コマンドを、サブ統合制御装置８３に送信し
（１−ｄ）「【０１０１】
　Ｓ１１５では、主制御装置８０は、新たに発生した保留記憶に対応する大当り決定用乱数等の値について判定する先読み判定処理を実行し、本処理を終了する。
　（３）先読み判定処理について
　次に、
新たに発生した保留記憶に対応する大当り決定用乱数等の値について判定する先読み判定処理について、
【０１０２】
　Ｓ１５０では、
主制御装置８０は、新たに発生した保留記憶に係る大当り決定用乱数の値が特定値（大当り抽選で当りとなる値）か否かを判定し
  
（１−ｅ）「【０１１３】
　続いて図９に関して、Ｓ２１５では、
主制御装置８０は、保留記憶の有無について判定し、肯定判定の場合には
【０１１４】
　Ｓ２２０では、主制御装置８０は、保留記憶の数をデクリメントすると共に、
最も古い保留記憶を選択し、
【０１１５】
　Ｓ２２５では、主制御装置８０は、確変モードであることを示す確変フラグが１か否かを判定し、肯定判定の場合には（Ｓ２２５：Ｙｅｓ）、Ｓ２３０に処理を移行すると共に、否定判定の場合には（Ｓ２２５：Ｎｏ）、Ｓ２３５に処理を移行する。
【０１１６】
　Ｓ２３０では、主制御装置８０は、
選択された保留記憶に係る大当り判定用乱数と、確変モードに対応する当否判定用テーブル（確変テーブル）に基づき、大当り抽選を実行し、該抽選に当るか否かを判定し、該保留記憶を消化する。
【０１１７】
　一方、Ｓ２３５では、主制御装置８０は、
選択された保留記憶に係る大当り判定用乱数と、通常モードに対応する当否判定用テーブル（通常テーブル）に基づき、大当り抽選を実行し、該抽選に当るか否かを判定し、該保留記憶を消化する。
（１−ｆ）「【０１５０】
　（６）保留表示処理について
　次に、保留記憶が生成された際に、該
保留記憶に対応する保留図柄を演出図柄表示装置６に表示する
本処理は、サブ統合制御装置８３にて
実行される
【０１５１】
　Ｓ６００では、
サブ統合制御装置８３は、主制御装置８０から先読みコマンドを受信
【０１５２】
　Ｓ６０５では、
サブ統合制御装置８３は、
先読みコマンドの種類に応じた確率で、
保留図柄（通常保留図柄，特別保留図柄１〜３）の中から新たな保留記憶に対応して表示する保留図柄の種類を選択し
（１−ｇ）「【０１５５】
　Ｓ６２０では、
サブ統合制御装置８３は、新たな保留記憶に対応して演出図柄表示装置６に一時図柄を表示し
　Ｓ６２５では、サブ統合制御装置８３は、
抽選により、いずれかの先行保留記憶の消化時期を、一時図柄を最終図柄に変化させるタイミング
として選択し
【０１５６】
　一方、変化演出が行われない場合に移行するＳ６３０では、サブ統合制御装置８３は、
新たな保留記憶に対応して演出図柄表示装置６に最終図柄を表示し
（１−ｈ）「【０１６０】
　（７）保留表示更新処理について  
　次に、保留記憶が消化された際に、演出図柄表示装置６に表示されている保留図柄の表示位置を更新すると共に、変化演出や
段階演出を行う保留表示更新処理
本処理は、サブ統合制御装置８３にて
実行される
（１−ｉ）「【０１７０】
　Ｓ７５０では、サブ統合制御装置８３は、演出図柄表示装置６にて選択された態様の擬似的な段階演出を行い、本処理を終了する。
　（８）変化演出や段階演出について  
　第一実施形態では、
図１７（ａ）に記載の表の「出現率」が示す確率で大当り抽選に当選する。また、擬似演出では、該表の「出現率」が示す確率で、ＳＰリーチ（スーパーリーチ）や、リーチ（ノーマルリーチ）や、ハズレ（スーパーリーチやノーマルリーチとなること無く大当り抽選で外れること）が発生する。
【０１７１】
　また、
保留図柄の種類として、図１７（ｂ）の表に記載の通常保留図柄と、特別保留図柄１〜３が設けられている。
（１−ｊ）「【０１７６】
　（ｂ）２個目以降の保留記憶が生じた場合について  
　次に、２個目以降の保留記憶が生じた場合について説明する。  
　
図１８には、２個目以降の保留記憶が生じた場合に、該保留記憶に対応して行われる変化演出や段階演出等のパターン（演出パターン）を示す表が記載されている。
【０１７７】
　該表における「一時→最終」という項目は、該保留記憶に対応して行われる演出パターンを示している。具体的には、該項目に対応する欄のうち、
異なる種類の保留図柄が二つ並んで記載されている欄は、変化演出が行われることを示しており、該欄の左側には一時図柄が、右側には最終図柄が記載されている。
【０１７８】
　一方、
同一種類の保留図柄が二つ並んで記載されている欄は、２個目以降の保留記憶に対応して該欄に記載された保留図柄が表示され、変化演出が行われることなく、該保留記憶が消化されるまで該保留図柄が表示されることを示している。
【０１７９】
　また、該欄における
二つの保留図柄の間に記載された二重線の矢印は、変化演出に伴う段階演出や、変化演出が行われない場合の擬似的な段階演出が行われることを示し、これらの保留図柄の間に記載された単一線の矢印は、段階演出が行われないことを示している。
【０１８０】
　なお、変化演出において、最終図柄の信頼度が一時図柄の信頼度よりも低いことを降格と記載し、最終図柄の信頼度が一時図柄の信頼度よりも高いことを昇格と記載する。また、第一実施形態では、変化演出が行われる際には必ず段階演出が行われる。  
【０１８１】
　また、
該表の「出現率」は、２個目以降の保留記憶により「ハズレ」，「リーチ」，「ＳＰリーチ」，「大当り」となる各場合において、該保留記憶に対応して各演出パターンが行われる確率を示している。
　・・・
【０１８３】
　なお、該表における“１〜４”，“５〜９”，“１０〜１４”，“１５〜１９”の各演出パターンに対応する「信頼度」は、保留記憶の消化直前に表示されている保留図柄の種類に応じて、凡その
大当りの信頼度
各種類の保留図柄が消化直前に表示された場合には、通常保留図柄，特別保留図柄１，特別保留図柄２，特別保留図柄３の順位で信頼度が高くなる
（１−ｋ）認定事項
図１７（ａ）
　段落【０１７０】の記載「
図１７（ａ）に記載の表の「出現率」が示す確率で大当り抽選に当選する。また、擬似演出では、該表の「出現率」が示す確率で、ＳＰリーチ（スーパーリーチ）や、リーチ（ノーマルリーチ）や、ハズレ（スーパーリーチやノーマルリーチとなること無く大当り抽選で外れること）が発生する。
（１−ｌ）認定事項
図１７（ｂ）
図１８
　段落【０１７１】の記載「
保留図柄の種類として、図１７（ｂ）の表に記載の通常保留図柄と、特別保留図柄１〜３が設けられている。
図１８には、２個目以降の保留記憶が生じた場合に、該保留記憶に対応して行われる変化演出や段階演出等のパターン（演出パターン）を示す表が記載されている。
異なる種類の保留図柄が二つ並んで記載されている欄は、変化演出が行われることを示しており、該欄の左側には一時図柄が、右側には最終図柄が記載されている。
同一種類の保留図柄が二つ並んで記載されている欄は、２個目以降の保留記憶に対応して該欄に記載された保留図柄が表示され、変化演出が行われることなく、該保留記憶が消化されるまで該保留図柄が表示されることを示している。
二つの保留図柄の間に記載された二重線の矢印は、変化演出に伴う段階演出や、変化演出が行われない場合の擬似的な段階演出が行われることを示し、これらの保留図柄の間に記載された単一線の矢印は、段階演出が行われないことを示している。
該表の「出現率」は、２個目以降の保留記憶により「ハズレ」，「リーチ」，「ＳＰリーチ」，「大当り」となる各場合において、該保留記憶に対応して各演出パターンが行われる確率を示している。
　保留表示の一時図柄が「通常保留図柄」であって、変化演出が行われず、「段階演出無」である演出パターン１の出現率は、大当り抽選の当否結果が「ハズレ」の場合、１９０／２００であり、「リーチ」の場合、１３０／２００であり、「ＳＰリーチ」の場合、１２０／２００であり、「大当り」の場合、１００／２００であり、
　保留表示の一時図柄が「特別保留図柄１」で、変化演出が行われ、最終図柄が「通常保留図柄」となる演出パターン２の出現率は、大当り抽選の当否結果が「ハズレ」の場合、４／２００であり、「リーチ」の場合、８／２００であり、「ＳＰリーチ」の場合、４／２００であり、「大当り」の場合、２／２００であり、
　保留表示の一時図柄が「通常保留図柄」で、変化演出が行われ、最終図柄が「特別保留図柄１」となる演出パターン５の出現率は、大当り抽選の当否結果が「リーチ」の場合、１１／２００であり、「ＳＰリーチ」の場合、７／２００であり、「大当り」の場合、４／２００であり、
　保留表示の一時図柄が「特別保留図柄１」であって、変化演出が行われず、「段階演出無」である演出パターン６の出現率は、大当り抽選の当否結果が「リーチ」の場合、１２／２００であり、「ＳＰリーチ」の場合、８／２００であり、「大当り」の場合、４／２００であり、
　保留表示の一時図柄が「特別保留図柄１」であって、変化演出が行われず、「段階演出有」である演出パターン７の出現率は、大当り抽選の当否結果が「リーチ」の場合、８／２００であり、「ＳＰリーチ」の場合、４／２００であり、「大当り」の場合、４／２００であり、
　保留表示の一時図柄が「通常保留図柄」で、変化演出が行われ、最終図柄が「特別保留図柄２」となる演出パターン１０の出現率は、大当り抽選の当否結果が「ＳＰリーチ」の場合、１２／２００であり、「大当り」の場合、１０／２００であり、
　保留表示の一時図柄が「特別保留図柄１」で、変化演出が行われ、最終図柄が「特別保留図柄２」となる演出パターン１１の出現率は、大当り抽選の当否結果が「ＳＰリーチ」の場合、１０／２００であり、「大当り」の場合、１０／２００であり、
　保留表示の一時図柄が「特別保留図柄２」であって、変化演出が行われず、「段階演出無」である演出パターン１２の出現率は、大当り抽選の当否結果が「ＳＰリーチ」の場合、１４／２００であり、「大当り」の場合、１０／２００であり、
　保留表示の一時図柄が「特別保留図柄２」であって、変化演出が行われず、「段階演出有」である演出パターン１３の出現率は、大当り抽選の当否結果が「ＳＰリーチ」の場合、６／２００であり、「大当り」の場合、１０／２００であり、
　保留表示の一時図柄が「通常保留図柄」で、変化演出が行われ、最終図柄が「特別保留図柄３」となる演出パターン１５の出現率は、大当り抽選の当否結果が「大当り」の場合、４／２００であり、
　保留表示の一時図柄が「特別保留図柄１」であって、変化演出が行われ、最終図柄が「特別保留図柄３」となる演出パターン１６の出現率は、大当り抽選の当否結果が「大当り」の場合、４／２００であり、
　保留表示の一時図柄が「特別保留図柄３」であって、変化演出が行われず、「段階演出無」である演出パターン１８の出現率は、大当り抽選の当否結果が「大当り」の場合、５／２００であり、
　保留表示の一時図柄が「特別保留図柄３」であって、変化演出が行われず、「段階演出有」である演出パターン１９の出現率は、大当り抽選の当否結果が「大当り」の場合、４／２００、
　であることが開示されていると認められる。
　上記（１−ａ）〜（１−ｊ）の記載事項、及び上記（１−ｋ）、（１−ｌ）の認定事項を総合すれば、引用文献１には、以下の発明（以下、「引用発明１」という。）が記載されていると認められる。
「ａ　特別図柄の変動表示が行われ、大当り抽選で当たると、大当り遊技が行われるパチンコ機５０であって（【００８４】、【００８５】）、
ｂ　第１，第２始動口ＳＷ１１ａ，１２ａの検出信号に基づき、第１，第２始動口１１，１２への遊技球の入賞が発生したかを判定し、肯定判定の場合は、大当り抽選に用いられる大当り決定用乱数等を保留記憶として記憶し、消化されていない保留記憶の数を示す保留数コマンドをサブ統合制御装置８３に送信する主制御装置８０と（【００９８】−【０１００】）、
ｃ　各保留記憶に対応する保留図柄を表示する演出図柄表示装置６と（【０１５０】）、
ｄ　保留記憶の有無について判定し、肯定判定の場合には最も古い保留記憶を選択し、選択された保留記憶に係る大当り判定用乱数と確変テーブル又は通常テーブルに基づき、大当り抽選を実行し、該抽選に当るか否かを判定し、該保留記憶を消化する主制御装置８０と（【０１１３】−【０１１７】）、 
ｅ　新たに発生した保留記憶に係る大当り決定用乱数の値が大当り抽選で当りとなる値である特定値か否かを判定する先読み判定処理を行う主制御装置８０と（【０１０１】、【０１０２】）、
ｆ−１　保留図柄の種類として、通常保留図柄と、特別保留図柄１と、特別保留図柄２、３が設けられ（【０１７１】、図１７（ｂ））、 
ｇ−１　主制御装置８０から受信した先読みコマンドの種類に応じた確率で、保留図柄（通常保留図柄，特別保留図柄１〜３）の中から新たな保留記憶に対応して表示する保留図柄の種類を選択し、該保留図柄を演出図柄表示装置６に表示するサブ統合制御装置８３と（【０１５０】−【０１５２】、【０１５５】）、
ｈ−１　一旦表示された保留図柄（一時図柄）を、他の種類の保留図柄（最終図柄）に変化させる変化演出が行われる際には、一時図柄の種類が変化することを示唆する段階演出を行う保留表示更新処理を実行するサブ統合制御装置８３と（【００８７】、【００８８】、【０１５６】、【０１６０】）を備え、
ｈ−２　変化演出が行われる際には、一時図柄の種類が変化することを示唆する段階演出が行われると共に、変化演出が行われないいずれかの保留図柄に対しても、擬似的な段階演出が行われ（【００８８】）、
ｈ−３　大当り抽選の当否結果が「ハズレ」の出現率は２７９／３００であり、「リーチ」の出現率は１５／３００であり、「ＳＰリーチ」の出現率は５／３００であり、「大当り」の出現率は１／３００であり（認定事項（１−ｋ））、
　保留表示の一時図柄が「特別保留図柄１」であって、変化演出が行われず、「段階演出無」である演出パターン６の出現率は、大当り抽選の当否結果が「リーチ」の場合、１２／２００であり、「ＳＰリーチ」の場合、８／２００であり、「大当り」の場合、４／２００であり、
　保留表示の一時図柄が「特別保留図柄１」であって、変化演出が行われず、「段階演出有」である演出パターン７の出現率は、大当り抽選の当否結果が「リーチ」の場合、８／２００であり、「ＳＰリーチ」の場合、４／２００であり、「大当り」の場合、４／２００であり、
　保留表示の一時図柄が「通常保留図柄」であって、変化演出が行われず、「段階演出無」である演出パターン１の出現率は、大当り抽選の当否結果が「ハズレ」の場合、１９０／２００であり、「リーチ」の場合、１３０／２００であり、「ＳＰリーチ」の場合、１２０／２００であり、「大当り」の場合、１００／２００であり、
　保留表示の一時図柄が「特別保留図柄２」であって、変化演出が行われず、「段階演出無」である演出パターン１２の出現率は、大当り抽選の当否結果が「ＳＰリーチ」の場合、１４／２００であり、「大当り」の場合、１０／２００であり、
　保留表示の一時図柄が「特別保留図柄２」であって、変化演出が行われず、「段階演出有」である演出パターン１３の出現率は、大当り抽選の当否結果が「ＳＰリーチ」の場合、６／２００であり、「大当り」の場合、１０／２００であり、
　保留表示の一時図柄が「特別保留図柄３」であって、変化演出が行われず、「段階演出無」である演出パターン１８の出現率は、大当り抽選の当否結果が「大当り」の場合、５／２００であり、
　保留表示の一時図柄が「特別保留図柄３」であって、変化演出が行われず、「段階演出有」である演出パターン１９の出現率は、大当り抽選の当否結果が「大当り」の場合、４／２００であり（認定事項（１−ｌ））、
ｇ−２　保留表示の一時図柄が「通常保留図柄」で、最終図柄が「特別保留図柄２、３」となる演出パターン１０、１５と、保留表示の一時図柄が「特別保留図柄１」で、最終図柄が「特別保留図柄２、３」となる演出パターン１１、１６とを含み（認定事項（１−ｌ））、
ｆ−２　特別保留図柄２、特別保留図柄３の順位で大当り信頼度が高くなり（【０１８３】）、
ｇ−３　大当り抽選の当否結果が「ハズレ」の出現率は２７９／３００であり、「リーチ」の出現率は１５／３００であり、「ＳＰリーチ」の出現率は５／３００であり、「大当り」の出現率は１／３００であり（認定事項（１−ｋ））、
　保留表示の一時図柄が「通常保留図柄」で、最終図柄が「通常保留図柄」となる演出パターン１の出現率は、大当り抽選の当否結果が「ハズレ」の場合、１９０／２００であり、「リーチ」の場合、１３０／２００であり、「ＳＰリーチ」の場合、１２０／２００であり、「大当り」の場合、１００／２００であり、
　保留表示の一時図柄が「通常保留図柄」で、最終図柄が「特別保留図柄１」となる演出パターン５の出現率は、大当り抽選の当否結果が「リーチ」の場合、１１／２００であり、「ＳＰリーチ」の場合、７／２００であり、「大当り」の場合、４／２００であり、
　保留表示の一時図柄が「通常保留図柄」で、最終図柄が「特別保留図柄２」となる演出パターン１０の出現率は、大当り抽選の当否結果が「ＳＰリーチ」の場合、１２／２００であり、「大当り」の場合、１０／２００であり、
　保留表示の一時図柄が「通常保留図柄」で、最終図柄が「特別保留図柄３」となる演出パターン１５の出現率は、大当り抽選の当否結果が「大当り」の場合、４／２００であり、
　保留表示の一時図柄が「特別保留図柄１」で、最終図柄が「通常保留図柄」となる演出パターン２の出現率は、大当り抽選の当否結果が「ハズレ」の場合、４／２００であり、「リーチ」の場合、８／２００であり、「ＳＰリーチ」の場合、４／２００であり、「大当り」の場合、２／２００であり、
　保留表示の一時図柄が「特別保留図柄１」で、最終図柄が「特別保留図柄１」となる演出パターン６の出現率は、大当り抽選の当否結果が「リーチ」の場合、１２／２００であり、「ＳＰリーチ」の場合、８／２００であり、「大当り」の場合、４／２００であり、
　保留表示の一時図柄が「特別保留図柄１」で、最終図柄が「特別保留図柄１」となる演出パターン７の出現率は、大当り抽選の当否結果が「リーチ」の場合、８／２００であり、「ＳＰリーチ」の場合、４／２００であり、「大当り」の場合、４／２００であり、
　保留表示の一時図柄が「特別保留図柄１」で、最終図柄が「特別保留図柄２」となる演出パターン１１の出現率は、大当り抽選の当否結果が「ＳＰリーチ」の場合、１０／２００であり、「大当り」の場合、１０／２００であり、
　保留表示の一時図柄が「特別保留図柄１」で、最終図柄が「特別保留図柄３」となる演出パターン１６の出現率は、大当り抽選の当否結果が「大当り」の場合、４／２００である（認定事項（１−ｌ））、
ｌ　パチンコ機５０（【００８４】）。」 
５　対比
　本願発明１と引用発明１とを対比する（見出し（ａ）〜（ｌ）は、本願発明の特定事項Ａ〜Ｌに対応する。また、下線は当審で付した。）。 
（ａ）引用発明１の構成ａにおける「特別図柄の変動表示」、「大当り遊技」、「パチンコ機５０」は、それぞれ、本願発明１の構成Ａの「可変表示」、「遊技者にとって有利な特定状態」、「遊技機」に相当する。 
　してみると、引用発明１の構成ａは、本願発明１の構成Ａに相当する。 
（ｂ）引用発明１の構成ｂにおける「保留記憶として記憶」される「大当り抽選に用いられる大当り決定用乱数」は、本願発明１の構成Ｂの「可変表示に関する情報」に相当する。
　また、引用発明１の構成ｂにおいて、「大当り抽選に用いられる大当り決定用乱数」（本願発明１の「可変表示に関する情報」に相当。）が「主制御装置８０」に「保留記憶として記憶」されてから、「消化されていない保留記憶の数を示す保留数コマンドをサブ統合制御装置８３に送信する」という制御を行うから、「大当り抽選に用いられる大当り決定用乱数」は、本願発明１の構成Ｂの「未だ開始していない」可変表示に関するものであることは明らかである。
　さらに、引用発明１の構成ｂにおける「主制御装置８０」は、本願発明１の構成Ｂの「保留記憶手段」に相当する。
　してみると、引用発明１の構成ｂは、本願発明１の構成Ｂに相当する。
（ｃ）引用発明１の構成ｃにおける「各保留記憶」、「保留図柄」、「演出図柄表示装置６」は、それぞれ、本願発明１の構成Ｃの「保留記憶手段に記憶されている保留記憶」、「保留表示」、「保留表示手段」に相当する。 
　してみると、引用発明１の構成ｃは、本願発明１の構成Ｃに相当する。 
（ｄ）引用発明１の構成ｄにおける「保留記憶の有無について判定し、肯定判定の場合には最も古い保留記憶を選択し、選択された保留記憶に係る大当り判定用乱数と確変テーブル又は通常テーブルに基づき、大当り抽選を実行し、該抽選に当るか否かを判定」すること、「主制御装置８０」は、それぞれ、本願発明１の構成Ｄの「特定状態に制御するか否かを決定する」こと、「決定手段」に相当する。
　してみると、引用発明１の構成ｄは、本願発明１の構成Ｄに相当する。
（ｅ）引用発明１の構成ｅにおける「新たに発生した保留記憶に係る大当り決定用乱数の値が大当り抽選で当りとなる値である特定値か否かを判定する先読み判定処理」、「主制御装置８０」は、それぞれ、本願発明１の構成Ｅの「特定状態となるか否かを判定する」こと、「判定手段」に相当する。
　また、引用発明１の構成ｅにおける「先読み判定処理」は、「保留記憶」が「新たに発生した」場合に「行う」のに対し、引用発明１の構成ｄにおける「保留記憶を消化する」ことは、「最も古い保留記憶を選択し」て行うのであるから、引用発明１の構成ｅにおける「先読み判定処理」は、引用発明１の構成ｄにおける「保留記憶を消化する」ことよりも前、すなわち、本願発明１の構成Ｅの「決定手段の決定前」に行われることは明らかである。
　してみると、引用発明１の構成ｅは、本願発明１の構成Ｅに相当する。
（ｆ−１）引用発明１の構成ｆ−１における「保留図柄の種類」、「通常保留図柄」、「特別保留図柄１」、「特別保留図柄２、３」は、それぞれ、本願発明１の構成Ｆ−１の「保留表示の表示態様」、「通常態様」、「通常態様とは異なる態様である特殊態様」、「通常態様および特殊態様とは異なる態様である特別態様」に相当する。
　してみると、引用発明１の構成ｆ−１は、本願発明１の構成Ｆ−１に相当する。
（ｇ−１）引用発明１の構成ｇ−１における「保留図柄」が「主制御装置８０」から受信した「先読みコマンドの種類に応じた確率で」「選択」され「表示」されることは、本願発明１の構成Ｇ−１の「保留表示」が「判定手段の判定結果に応じて」「表示」されることに相当する。
　また、引用発明１の構成ｇ−１において、「保留図柄（通常保留図柄，特別保留図柄１〜３）の中から新たな保留記憶に対応して表示する保留図柄の種類を選択して表示させる」ことは、「特別保留図柄２、３」を選択して表示させることを含み、上記（ｆ−１）で説示したとおり、「特別保留図柄２、３」は本願発明１の「特別態様」に相当するから、引用発明１の構成ｇ−１における「保留図柄（通常保留図柄，特別保留図柄１〜３）の中から新たな保留記憶に対応して表示する保留図柄の種類を選択し、該保留図柄を演出図柄表示装置６に表示する」ことは、本願発明１の構成Ｇ−１における「判定対象となった保留記憶に対応した保留表示を特別態様で表示する保留予告演出を実行」することに相当する。
　さらに、引用発明１の構成ｇ−１における「サブ統合制御装置８３」は、本願発明１の構成Ｇ−１における「演出実行手段」に相当する。
　してみると、引用発明１の構成ｇ−１は、本願発明１の構成Ｇ−１に相当する。
（ｈ−１）引用発明１の構成ｈ−１における「一時図柄の種類が変化することを示唆する段階演出」は、本願発明１の構成Ｈ−１の「保留表示の表示態様が変化することを示唆する示唆演出」に相当するから、引用発明１の構成ｈ−１において、該演出を行う保留表示更新処理を実行する「サブ統合制御装置８３」は、本願発明１の構成Ｈ−１の「示唆演出実行手段」に相当する。
　してみると、引用発明１の構成ｈ−１は、本願発明１の構成Ｈ−１に相当する。
（ｈ−２）引用発明１の構成ｈ−２における「変化演出が行われる」こと、「変化演出が行われない」ことは、それぞれ、本願発明１の構成Ｈ−２の「保留表示の表示態様を変化させる」こと、「保留表示の表示態様を変化させない」こと、に相当するから、引用発明１の構成ｈ−２における「変化演出が行われる際に」行われる「段階演出」、「変化演出が行われないいずれかの保留図柄に対して」行われる「擬似的な段階演出」は、それぞれ、本願発明１の構成Ｈ−２の「第１パターン」による「示唆演出」、「第２パターン」による「示唆演出」に相当する。
　してみると、引用発明１の構成ｈ−２は、本願発明１の構成Ｈ−２に相当する。
（ｈ−３）引用発明１の構成ｈ−３において、保留図柄として特別保留図柄１が表示され、変化演出が行われない場合に、擬似的な段階演出が行われる確率（すなわち、演出パターン６、７の出現率の和に対する、演出パターン７の出現率の割合）は、（リーチの出現率×リーチ時の演出パターン７の出現率＋ＳＰリーチの出現率×ＳＰリーチ時の演出パターン７の出現率＋大当りの出現率×大当り時の演出パターン７の出現率）／（リーチの出現率×リーチ時の演出パターン６の出現率＋ＳＰリーチの出現率×ＳＰリーチ時の演出パターン６の出現率＋大当りの出現率×大当り時の演出パターン６の出現率＋リーチの出現率×リーチ時の演出パターン７の出現率＋ＳＰリーチの出現率×ＳＰリーチ時の演出パターン７の出現率＋大当りの出現率×大当り時の演出パターン７の出現率）＝（１５／３００×８／２００＋５／３００×４／２００＋１／３００×４／２００）／（１５／３００×１２／２００＋５／３００×８／２００＋１／３００×４／２００＋１５／３００×８／２００＋５／３００×４／２００＋１／３００×４／２００）＝１４４／３６８≒
０．３９
　保留図柄として特別保留図柄１以外の図柄、すなわち、通常保留図柄、特別保留図柄２または特別保留図柄３が表示され、変化演出が行われない場合に、擬似的な段階演出が行われる確率（すなわち、演出パターン１、１２、１３、１８、１９の出現率の和に対する演出パターン１３、１９の出現率の和の割合）は、（ＳＰリーチの出現率×ＳＰリーチ時の演出パターン１３の出現率＋大当りの出現率×大当り時の演出パターン１３の出現率＋大当りの出現率×大当り時の演出パターン１９の出現率）／（ハズレの出現率×ハズレ時の演出パターン１の出現率＋リーチの出現率×リーチ時の演出パターン１の出現率＋ＳＰリーチの出現率×ＳＰリーチ時の演出パターン１の出現率＋大当りの出現率×大当り時の演出パターン１の出現率＋ＳＰリーチの出現率×ＳＰリーチ時の演出パターン１２の出現率＋大当りの出現率×大当り時の演出パターン１２の出現率＋ＳＰリーチの出現率×ＳＰリーチ時の演出パターン１３の出現率＋大当りの出現率×大当り時の演出パターン１３の出現率＋大当りの出現率×大当り時の演出パターン１８の出現率＋大当りの出現率×大当り時の演出パターン１９の出現率）＝（５／３００×６／２００＋１／３００×１０／２００＋１／３００×４／２００）／（２７９／３００×１９０／２００＋１５／３００×１３０／２００＋５／３００×１２０／２００＋１／３００×１００／２００＋５／３００×１４／２００＋１／３００×１０／２００＋５／３００×６／２００＋１／３００×１０／２００＋１／３００×５／２００＋１／３００×４／２００）＝４４／５５７８９≒
０．０００７９
　ここで、引用発明１の構成ｈ−３の「特別保留図柄１」、「擬似的な段階演出」が、それぞれ、本願発明１の構成Ｈ−３の「特殊態様」、「第２パターンによる示唆演出」に相当することは、上記（ｆ−１）、（ｈ−２）にて説示したとおりである。
　また、引用発明１の構成ｈ−３の「段階演出」は、引用発明１の構成ｈ−１のとおり「サブ統合制御装置８３」が実行するのであるから、引用発明１の構成ｈ−３は、本願発明１の構成Ｈ−３の「示唆演出を実行」する「示唆演出実行手段」を備えているといえる。
　そして、引用発明１の構成ｈ−３において、「保留図柄として特別保留図柄１が表示され、変化演出が行われない場合に、擬似的な段階演出が行われる確率」が
０．３９
０．０００７９
　してみると、引用発明１の構成ｈ−３は、本願発明１の構成Ｈ−３に相当する。
（ｇ−２）引用発明１の構成ｇ−２における「保留表示の一時図柄が「通常保留図柄」で、最終図柄が「特別保留図柄２、３」となる演出パターン１０、１５」、「保留表示の一時図柄が「特別保留図柄１」で、最終図柄が「特別保留図柄２、３」となる演出パターン１１、１６」は、それぞれ、本願発明１の構成Ｇ−２の「第１保留予告演出」、「第２保留予告演出」に相当する。
　してみると、引用発明１の構成ｇ−２は、本願発明１の構成Ｇ−２に相当する。
（ｆ−２）引用発明１の「特別保留図柄２、３」は、本願発明１の「特別態様」に相当することは、上記（ｇ−１）にて説示したとおりである。
　また、引用発明１の構成ｆ−２における「特別保留図柄２」、「特別保留図柄３」、「大当り信頼度」は、それぞれ、本願発明１の構成Ｆ−２の「第１特別態様」、「第２特別態様」、「特定状態に制御される期待度」に相当する。
　してみると、引用発明１の構成ｆ−２は、本願発明１の構成Ｆ−２に相当する。
（ｇ−３）引用発明１の構成ｇ−３において、通常保留図柄が特別保留図柄３に変化する割合（すなわち、演出パターン１、５、１０、１５の出現率の和に対する、演出パターン１５の出現率の割合）は、（大当りの出現率×大当り時の演出パターン１５の出現率）／（ハズレの出現率×ハズレ時の演出パターン１の出現率＋リーチの出現率×リーチ時の演出パターン１の出現率＋ＳＰリーチの出現率×ＳＰリーチ時の演出パターン１の出現率＋大当りの出現率×大当り時の演出パターン１の出現率＋リーチの出現率×リーチ時の演出パターン５の出現率＋ＳＰリーチの出現率×ＳＰリーチ時の演出パターン５の出現率＋大当りの出現率×大当り時の演出パターン５の出現率＋ＳＰリーチの出現率×ＳＰリーチ時の演出パターン１０の出現率＋大当りの出現率×大当り時の演出パターン１０の出現率＋大当りの出現率×大当り時の演出パターン１５の出現率）＝（１／３００×４／２００）／（２７９／３００×１９０／２００＋１５／３００×１３０／２００＋５／３００×１２０／２００＋１／３００×１００／２００＋１５／３００×１１／２００＋５／３００×７／２００＋１／３００×４／２００＋５／３００×１２／２００＋１／３００×１０／２００＋１／３００×４／２００）＝４／５５９３８≒
０．００００７２
　特別保留図柄１が特別保留図柄３に変化する割合（すなわち、演出パターン２、６、７、１１、１６の出現率の和に対する、演出パターン１６の出現率の割合）は、（大当りの出現率×大当り時の演出パターン１６の出現率）／（ハズレの出現率×ハズレ時の演出パターン２の出現率＋リーチの出現率×リーチ時の演出パターン２の出現率＋ＳＰリーチの出現率×ＳＰリーチ時の演出パターン２の出現率＋大当りの出現率×大当り時の演出パターン２の出現率＋リーチの出現率×リーチ時の演出パターン６の出現率＋ＳＰリーチの出現率×ＳＰリーチ時の演出パターン６の出現率＋大当りの出現率×大当り時の演出パターン６の出現率＋リーチの出現率×リーチ時の演出パターン７の出現率＋ＳＰリーチの出現率×ＳＰリーチ時の演出パターン７の出現率＋大当りの出現率×大当り時の演出パターン７の出現率＋ＳＰリーチの出現率×ＳＰリーチ時の演出パターン１１の出現率＋大当りの出現率×大当り時の演出パターン１１の出現率＋大当りの出現率×大当り時の演出パターン１６の出現率）＝（１／３００×４／２００）／（２７９／３００×４／２００＋１５／３００×８／２００＋５／３００×４／２００＋１／３００×２／２００＋１５／３００×１２／２００＋５／３００×８／２００＋１／３００×４／２００＋１５／３００×８／２００＋５／３００×４／２００＋１／３００×４／２００＋５／３００×１０／２００＋１／３００×１０／２００＋１／３００×４／２００）＝４／１６９０≒
０．００２４
　ここで、引用発明１の構成ｇ−３の「通常保留図柄」、「特別保留図柄１」、「特別保留図柄３」が、 それぞれ、本願発明１の構成Ｇ−３の「通常態様」、「特殊態様」、「第２特別態様」に相当することは、上記（ｆ−１）、（ｆ−２）にて説示したとおりである。
　また、引用発明１の構成ｇ−３における、一時図柄を最終図柄に変化させる変化演出は、引用発明１の構成ｇ−１のとおり「サブ統合制御装置８３」が「新たな保留記憶に対応して表示する保留図柄の種類を選択して表示させる」ことに基づく演出であるから、 引用発明１の構成ｇ−３は、本願発明１の構成Ｇ−３の「保留予告演出を実行する」「演出実行手段」を備えているといえる。
　そして、引用発明１の構成Ｇ−３において、「通常保留図柄が特別保留図柄３に変化する割合」が
０．００００７２
０．００２４
　してみると、引用発明１の構成ｇ−３は、本願発明１の構成Ｇ−３に相当する。
（ｌ）引用発明１における「パチンコ機５０」が、本願発明１の「遊技機」に相当することは上記（ａ）にて説示のとおりである。  
　してみると、引用発明１の構成ｌは、本願発明１の構成Ｌに相当する。
　したがって、本願発明１と引用発明１とは、全ての構成において一致し、相違点はない。
６　当審の判断
　よって、本願発明１は、引用文献１に記載された発明であるから、特許法第２９条第１項第３号の規定により、特許を受けることができない。
７　請求人の主張について
　請求人は、令和１年７月９日付け意見書において、「本発明１では、「前記示唆演出の実行パターンとして、前記示唆演出を実行してから保留表示の表示態様を変化させる第１パターンと、前記示唆演出を実行してから保留表示の表示態様を変化させない第２パターンとを含み、保留表示が特殊態様で表示されているときは、保留表示が特殊態様で表示されていないときよりも高い頻度で前記第２パターンによる示唆演出を実行」するのに対し、引用発明１では、保留図柄が通常保留図柄で表示されているときは、段階演出を実行してから保留図柄を変化させない演出パターンがない、すなわち、保留図柄が通常保留図柄で表示されているときは、本発明１の「第２パターン」に相当する演出パターンが含まれない」と主張している。
　しかしながら、引用発明１において、「保留図柄が通常保留図柄で表示されているときは、段階演出を実行してから保留図柄を変化させない演出パターンがない、すなわち、保留図柄が通常保留図柄で表示されているときは、本発明１の「第２パターン」に相当する演出パターンが含まれない」としても、上記「５　対比（ｈ−３）」にて説示したとおり、「擬似的な段階演出」は、保留図柄として特別保留図柄１が表示されるときには、保留図柄として特別保留図柄１以外の図柄が表示されるときよりも高い確率で実行される、すなわち、本願発明１の「保留表示が特殊態様で表示されているときは、保留表示が特殊態様で表示されていないときよりも高い頻度で前記第２パターンによる示唆演出を実行」する構成を備えていると認められるから、当該主張は採用できない。
　また、請求人は、同意見書において、「本発明１では、「前記演出実行手段は、特殊態様の保留表示が通常態様の保留表示と比べて高い割合で前記第２特別態様に変化するように、前記保留予告演出を実行する」のに対し、引用発明１では、特別保留図柄１（本発明１の「特殊態様の保留表示」に相当）が特別保留図柄３（本発明１の「第２特別態様」に相当）に変化する割合と、通常保留図柄（本発明１の「通常態様の保留表示」に相当）が特別保留図柄３に変化する割合は、同じである（特に、引用文献１の図１８の演出パターン１５及び１６を参照）」と主張している。
　しかしながら、引用発明１における特別保留図柄１（本発明１の「特殊態様の保留表示」に相当）が特別保留図柄３（本発明１の「第２特別態様」に相当）に変化する割合、及び通常保留図柄（本発明１の「通常態様の保留表示」に相当）が特別保留図柄３に変化する割合は、請求人が主張する、引用文献１の図１８に開示される演出パターン１５及び１６の出現率ではなく、上記「５　対比（ｇ−３）」にて説示したとおりに算出される割合を採用すべきであって、特別保留図柄１が特別保留図柄３に変化する割合は、通常保留図柄が特別保留図柄３に変化する割合と比べて高いものと認められるから、当該主張は採用できない。
　したがって、請求人の主張を採用することはできない。
８　むすび
　以上のとおりであるから、本願発明１は、特許法第２９条第１項第３号の規定により、特許を受けることができない。
　したがって、本願は拒絶すべきものである。
　よって、結論のとおり審決する。